(57)【要約】【課題】カメラ装置を所望の位置まで引き下げて固定し、使用することができるカメラ装置用の取付装置を提供する。【解決手段】本発明のカメラ装置用の取付装置１０は、建築物の下向き面１１に設けられた取付孔１２から挿入されるとともに、カメラ装置５０を支持する。取付装置１０は、取付孔１２に対して平行、かつ、離間配置される上枠２２および下枠２１と、を有し、上枠２２および下枠２１は、連結部材２３により連結される。カメラ装置５０は、上枠２２と下枠２１との間に配置される取付部材３０に取り付けられる。取付部材３０は、上枠２２と下枠２１との間において、昇降手段４０により昇降させるとともに、任意位置で固定される。これにより、カメラ装置５０は、上枠２２と下枠２１との間において、建築物の下向き面１１から所望の位置まで引き下げて固定し、使用することができる。【選択図】図１
2015065642.tif 000002
【特許請求の範囲】
【請求項１】
建築物の取付面に取付けられ、カメラ装置を支持するカメラ装置用の取付装置において、
第１枠および第２枠と、
前記第１枠および前記第２枠を連結する連結部材と、
前記第１枠および前記第２枠間に配置され、前記カメラ装置を取付可能な取付部材と、
前記取付部材を前記第１枠および前記第２枠間において移動させる移動手段とを備え、
前記移動手段は、任意位置で固定可能である、
カメラ装置用の取付装置。
【請求項２】
請求項１に記載のカメラ装置用の取付装置であって、
前記移動手段は、
前記第１枠および前記第２枠間に立設されるねじ部材と、
前記ねじ部材に螺合され、前記取付部材に設けられたナット部と、を有する、
カメラ装置用の取付装置。
【請求項３】
請求項２に記載のカメラ装置用の取付装置であって、
前記移動手段は、
前記ねじ部材および前記ナット部の組み合わせを複数有する、
カメラ装置用の取付装置。
【請求項４】
請求項２に記載のカメラ装置用の取付装置であって、
前記移動手段は、
前記取付部材に形成され、前記ねじ部材が貫通することで前記取付部材を平行移動自在に支持するガイドホールと、
前記取付部材に形成され、前記連結部材に形成されたガイドリブを挟むことで前記取付部材の前記ねじ部材を中心とした回転を規制するガイドスリットと、を有する、
カメラ装置用の取付装置。
【請求項５】
請求項３に記載のカメラ装置用の取付装置であって、
前記第１枠および前記第２枠のうちの一方に沿って前記各ねじ部材に設けられた遊星歯車と、
前記各遊星歯車に噛み合う太陽歯車および内歯車のうちの一方と、を更に有する、
カメラ装置用の取付装置。
【請求項６】
請求項２から５のうちのいずれか一項に記載のカメラ装置用の取付装置であって、
前記取付部材を前記第１枠および前記第２枠間の任意位置で固定する固定手段、を更に有し、
前記固定手段は、
前記ねじ部材に設けられた固定ナット部と、前記固定ナット部の回転を規制可能な規制部材と、を有し、
前記規制部材は、
前記固定ナット部に係合して前記固定ナット部の回転を規制する規制位置と、前記固定ナット部から離反して前記固定ナット部の回転を許容する許容位置とを選択可能である、
カメラ装置用の取付装置。
【請求項７】
請求項６に記載のカメラ装置用の取付装置であって、
前記第２枠に取り付けられ、前記取付面から突出するカバー、を更に有し、
前記規制部材は、
前記許容位置にあるときに、少なくとも一部が前記第２枠の平面輪郭から外側に突出し、前記第２枠に前記カバーが取付不可能である、
カメラ装置用の取付装置。
【請求項８】
請求項１から７のうちのいずれか一項に記載のカメラ装置用の取付装置であって、
前記取付部材に固定され、前記取付部材が最上位置において前記第２枠まで延びる軟質の帯部材、を更に有し、
前記帯部材に目印もしくは目盛が設けられている、
カメラ装置用の取付装置。
【発明の詳細な説明】
【技術分野】
【０００１】
本発明は、監視用ビデオカメラ等のカメラ装置を天井に埋め込んで設置する際に使用す
るカメラ装置用の取付装置に関するものである。
【背景技術】
【０００２】
従来、監視用ビデオカメラを天井や壁に埋め込んで設置する場合がある。このような場合には、取付装置が用いられている（例えば、特許文献１参照）。
図１４（Ａ）〜図１４（Ｃ）に示すように、特許文献１に記載の、埋込金具（取付装置）１００は、本体部１０１と、本体部１０１から所定距離離れた挟み込み土台部１０２と、本体部１０１と挟み込み土台部１０２を連結する複数の連結部１０３を有する。連結部１０３のなかには、挟み込み土台部１０２との間に天井材を挟む挟み込み羽根部１０４が設けられているものがある。挟み込み羽根部１０４は、挟み込み高さ調整ネジ部１０５の回転により上下移動する。
【０００３】
従って、埋込金具１００を天井材に固定するには、まず天井材に本体部１０１が挿入できるが、挟み込み土台部１０２が挿入できない孔を設けておき、本体部１０１を挿入する。
次に、挟み込み高さ調整ネジ部１０５を回していくと、挟み込み羽根部１０４が挟み込み羽根ストッパー部１０６に当たるまで回転する。さらに、挟み込み高さ調整ネジ部１０５を回していくと、挟み込み羽根部１０４は挟み込み土台部１０２の方向に徐々に下がっていき、挟み込み土台部１０２との間に天井材を挟み込む。
【０００４】
本体部１０１には、スライド部１０７が設けられている。スライド部１０７は、本体部１０１のスライド部固定穴部１０８およびスライド部収納固定ネジ穴部１０９をネジにて固定することで本体部１０１に収納固定される。従って、スライドさせて引き出す場合は、前述の固定用ネジを外し、スライド部１０７を下に引き出すと、引き出しストップネジ部１１０が、本体部１０１の引き出しストップ受け部１１１にあたり、あらかじめ設定してある任意の長さまで引き出すことができる。
【先行技術文献】
【特許文献】
【０００５】
【特許文献１】特許４７６０７８４号公報（第１図）
【発明の概要】
【発明が解決しようとする課題】
【０００６】
しかしながら、前述した特許文献１に記載の埋込金具１００においては、カメラ部が取り付けられたスライド部１０７を、取付位置から所定の位置まで引き下げることはできるものの、任意の所望の位置で固定することはできない。
一方、カメラ装置にはデザイン性を考慮した薄型タイプや筐体の強度を強化したタイプなど高さの異なるものがあり、その為、高さの異なるタイプのカメラ毎に埋込金具を開発し、提供しなければいけないという問題があった。
【０００７】
本発明は、従来の問題を解決するためになされたもので、カメラ装置を所望の位置で固定することができ、高さの異なるカメラに対応することができる取付装置を提供することを目的とする。
【課題を解決するための手段】
【０００８】
本発明のカメラ装置用の取付装置は、建築物の取付面に取付けられ、カメラ装置を支持するカメラ装置用の取付装置において、第１枠および第２枠と、前記第１枠および前記第２枠を連結する連結部材と、前記第１枠および前記第２枠間に配置され、前記カメラ装置を取付可能な取付部材と、前記取付部材を前記第１枠および前記第２枠間において移動させる移動手段とを備え、前記移動手段は、任意位置で固定可能である。
【０００９】
また、本発明のカメラ装置用の取付装置は、前記移動手段は、前記第１枠および前記第２枠間に立設されるねじ部材と、前記ねじ部材に螺合され、前記取付部材に設けられたナット部と、を有する。
【００１０】
また、本発明のカメラ装置用の取付装置は、前記移動手段は、前記ねじ部材および前記ナット部の組み合わせを複数有する。
【００１１】
また、本発明のカメラ装置用の取付装置は、前記移動手段は、前記取付部材に形成され、前記ねじ部材が貫通することで前記取付部材を平行移動自在に支持するガイドホールと、前記取付部材に形成され、前記連結部材に形成されたガイドリブを挟むことで前記取付部材の前記ねじ部材を中心とした回転を規制するガイドスリットと、を有する。
【００１２】
また、本発明のカメラ装置用の取付装置は、前記第１枠および前記第２枠のうちの一方に沿って前記各ねじ部材に設けられた遊星歯車と、前記各遊星歯車に噛み合う太陽歯車および内歯車のうちの一方と、を更に有する。
【００１３】
また、本発明のカメラ装置用の取付装置は、前記取付部材を前記第１枠および前記第２枠間の任意位置で固定する固定手段、を更に有し、前記固定手段は、前記ねじ部材に設けられた固定ナット部と、前記固定ナット部の回転を規制可能な規制部材と、を有し、前記規制部材は、前記固定ナット部に係合して前記固定ナット部の回転を規制する規制位置と、前記固定ナット部から離反して前記固定ナット部の回転を許容する許容位置とを選択可能である。
【００１４】
また、本発明のカメラ装置用の取付装置は、前記第２枠に取り付けられ、前記取付面から突出するカバー、を更に有し、前記規制部材は、前記許容位置にあるときに、少なくとも一部が前記第２枠の平面輪郭から外側に突出し、前記第２枠に前記カバーが取付不可能である。
【００１５】
さらに、本発明のカメラ装置用の取付装置は、前記取付部材に固定され、前記取付部材が最上位置において前記第２枠まで延びる軟質の帯部材、を更に有し、前記帯部材に目印もしくは目盛が設けられている。
【発明の効果】
【００１６】
本発明では、カメラ装置は上枠と下枠との間に配置される取付部材に取り付けられ、取付部材は、上枠と下枠との間において、昇降手段により昇降させるとともに、任意位置で固定される。これにより、カメラ装置を建築物の下向き面（天井等）から所望の位置まで引き出して固定することができ、高さの異なるカメラに対応することができるという効果を有するカメラ装置用の取付装置を提供できる。
【図面の簡単な説明】
【００１７】
【図１】本発明に係る実施形態のカメラ装置用の取付装置を用いてカメラ装置を天井面に取り付けた状態の側面図
【図２】本発明に係る実施形態のカメラ装置用の取付装置を上方から見た斜視図
【図３】本発明に係る実施形態のカメラ装置用の取付装置を下方から見た斜視図
【図４】ねじ部材の回転を規制可能な規制部材の斜視図
【図５】規制部材によりねじ部材の回転を規制する状態を示す斜視図
【図６】取付装置を天井面の取付孔に取り付けた後にカメラ装置を取り付ける状態の側面図
【図７】天井面の取付孔に取り付けられた取付装置にカメラ装置を取り付けた状態の側面図
【図８】取付装置に取り付けられたカメラ装置の高さ位置調整の状態を下方から見た斜視図
【図９】カメラ装置を所望の高さ位置に取り付けた状態の側面図
【図１０】カメラ装置を最上の高さ位置に取り付けた状態の側面図
【図１１】変形例のカメラ装置用の取付装置を上方から見た斜視図
【図１２】図１１に示したカメラ装置用の取付装置を下方から見た斜視図
【図１３】図１２に示したガイドスリット近傍部分の要部拡大図
【図１４】（Ａ）従来の監視用ビデオカメラの埋め込み金具機構を斜め上から見た斜視図、（Ｂ）斜め上の別角度から見た斜視図、（Ｃ）斜め下から見た斜視図
【発明を実施するための形態】
【００１８】
以下、本発明に係る実施形態のカメラ装置用の取付装置について、図面を用いて説明する。
【００１９】
図１は、本発明に係る実施形態のカメラ装置用の取付装置を用いてカメラ装置を天井面に取り付けた状態の側面図である。
図１に示すように、実施形態のカメラ装置用の取付装置１０（以後、「取付装置１０」という。）は、建物の下向き方向の取付面である天井面１１に設けられた取付孔１２に監視カメラ等のカメラ装置５０を取り付けるのに用いることができる。
なお、以下の説明においては、床側（天井面１１と反対側）を「下」、床側と反対側を「上」と云うこととする。
【００２０】
図２は、本発明に係る実施形態のカメラ装置用の取付装置を上方から見た斜視図である。図３は、本発明に係る実施形態のカメラ装置用の取付装置を下方から見た斜視図である。図２および図３に示すように、取付装置１０は、取付孔１２に固定される本体２０と、カメラ装置５０を取り付けて昇降する取付部材３０を有する。
本体２０は、取付孔１２に対して平行に取り付けられる第２枠である円環板状の下枠２１と、下枠２１の上方に所定間隔離間配置され、取付孔１２に収容される第１枠である円環板状の上枠２２を有する。下枠２１および上枠２２は、複数本（ここでは、４本）の連結部材２３によって、所定間隔で平行に固定される。
【００２１】
下枠２１は、取付孔１２の内径よりも大きな外径を有し、取付孔１２に挿入できない。上枠２２は、取付孔１２の内径よりも小さな外径を有し、取付孔１２に挿入可能である。
従って、取付装置１０を取付孔１２に取り付けた状態では、下枠２１の上面が天井面１１に当接して露出する。このため、露出する下枠２１には、下面を覆うように化粧カバー（カバー）１５が、着脱可能に取り付けられる（図１参照）。
【００２２】
上枠２２には、内側上方に向かって取付アーム２２１が設けられており、先端部２２２は水平に折曲げ形成されている。先端部２２２には、上枠２２の中心位置にアンカー用孔２２３が設けられている。
従って、取付アーム２２１のアンカー用孔２２３に、天井裏の構造部材に取り付けられているアンカーボルト１３を通し、ナット１４で固定することにより、本体２０が吊下げられる（図１参照）。
【００２３】
連結部材２３は板状部材であり、幅方向両端に補強リブ２３１が折曲げ形成されている。
連結部材２３の下部にはガイド部材２５が設けられており、ガイド部材２５には押え部材２４が上下移動可能に設けられている。
押え部材２４は、ガイド部材２５を中心として回動可能となっており、取付孔１２に挿入可能な収納位置と、下枠２１よりも外側に突出する取付位置との間で回動する。また、押え部材２４は、取付位置では、下方（下枠２１方向）に付勢される。
【００２４】
本体２０の下枠２１と上枠２２との間には、円環板状の取付部材３０が昇降可能に設けられている。取付部材３０の下面には、カメラ装置５０が取付可能となっている。
取付部材３０には、取付部材３０の天井面１１に対する位置を示す帯部材３２が取り付けられている。帯部材３２は、例えば布のように折り畳み可能な軟質な部材で形成されており、高さの異なるカメラ毎に適切な位置となる目印３２１が付されている。
帯部材３２は、取付部材３０が最も上枠２２に近い最上位置にあるときに、下端が下枠２１よりも下方に突出する長さを有する。
【００２５】
下枠２１と上枠２２との間には、取付部材３０を昇降させるとともに任意の高さ位置で固定可能な移動手段である昇降手段４０が設けられている。
昇降手段４０は、下枠２１と上枠２２との間に、回転可能かつ鉛直に設けられた複数本のねじ部材４１を有する。ここでは、ねじ部材４１は、下枠２１および上枠２２の周方向に沿って均等な位置に４本設けられている。なお、ねじ部材４１の本数は限定するものではないが、３本以上で均等間隔で平行に設けることが望ましい。
【００２６】
各ねじ部材４１の上端部には、遊星歯車４２が固定されている。遊星歯車４２は、上枠２２の下面に沿って回転する。
各ねじ部材４１の遊星歯車４２の内側には、全ての遊星歯車４２に噛合する内歯車４３が、上枠２２の下面に沿って回転可能に設けられている。
あるいは、内歯車４３の代わりに、全ての遊星歯車４２の外側に噛合する太陽歯車（外歯車）を上枠２２の下面に沿って回転可能に設けることも可能である。なお、ここでは、内歯車４３を用いる場合について説明する。
従って、内歯車４３によって全ての遊星歯車４２が同期して回転するので、全てのねじ部材４１は同期して回転する。
【００２７】
なお、本明細書中、内歯車の文言は、各遊星歯車４２の内側に配置される内側の歯車の意味で用いており、小歯車が内接する内歯車とは異なる。また、外歯車の文言は、各遊星歯車４２の外側に配置される外側の歯車の意味で用いており、小歯車が外接する外歯車とは異なる。
【００２８】
図４は、ねじ部材の回転を規制可能な規制部材の斜視図である。図３に示すように、各ねじ部材４１の下端部には、下枠２１を貫通して下枠２１の下面に露出するねじ頭（固定ナット部）４１１が設けられている。このねじ頭４１１は六角形をしており、下面には、ドライバーの先端に嵌合する凹部４１２が設けられている（図４参照）。
従って、いずれか１本のねじ部材４１のねじ頭４１１をドライバーで回転させると、このねじ部材４１に取り付けられている遊星歯車４２が内歯車４３を回転させ、全てのねじ部材４１が同期して回転する。
【００２９】
各ねじ部材４１には、取付部材３０のナット部である昇降ナット部３１が螺合している。昇降ナット部３１は、取付部材３０にねじ孔を形成して設けることができる。あるいは、取付部材３０に貫通孔を設け、ねじ部材４１に螺合するナットを貫通孔に接合して設けることも可能である。
従って、ねじ部材４１を回転させることにより、昇降ナット部３１がねじ部材４１に沿って昇降するので、取付部材３０を昇降させることができる。
【００３０】
図５は、規制部材によりねじ部材の回転を規制する状態を示す斜視図である。図４および図５に示すように、少なくとも１本のねじ部材４１のねじ頭４１１の近傍には、ねじ頭４１１の回転を規制可能な規制部材（固定手段）２６が設けられている。
規制部材２６は、全体略矩形板状を呈しており、下枠２１の下面に切り起しにより設けられている一対のガイド片２１１により、下枠２１の径方向に沿ってスライド可能に支持されている。規制部材２６の中央部には、下枠２１の径方向に沿って開口部２６１が設けられており、開口部２６１には規制部材２６のスライドを規制する固定ねじ２１２が取り付けられている。
【００３１】
規制部材２６の内側端には、ねじ部材４１のねじ頭４１１が嵌合可能な嵌合凹部２６２が設けられている。嵌合凹部２６２は、嵌合状態（規制位置）で六角形のねじ頭４１１の回転を阻止すべく、六角形の一部からなる形状を呈している。
規制部材２６は、ねじ頭４１１に係合してねじ頭４１１の回転を規制する規制位置と、ねじ頭４１１から離反してねじ頭４１１の回転を許容する許容位置との間においてスライド可能となっている。
【００３２】
規制部材２６の外側端部は、規制部材２６がねじ頭４１１から離反して回転を許容する許容位置で、下枠２１の外周縁から外側に突出する突出部２６３を有する（図４参照）。なお、ねじ頭４１１の回転を規制する規制位置では、突出部２６３は下枠２１の外側に突出しない（図５参照）。
すなわち、規制部材２６が規制位置にあるときには、化粧カバー１５を下枠２１に取り付けることができるが、規制部材２６が許容位置にあるときには、化粧カバー１５を下枠２１に取り付けることができない。
従って、規制部材２６を許容位置から規制位置へスライドさせてねじ部材４１の回転を防止するための作業を忘れないようにすることができる。
【００３３】
次に、天井面１１の取付孔１２に対する取付装置１０およびカメラ装置５０の取付動作について説明する。図６は、取付装置１０を天井面１１の取付孔１２に取り付けた後にカメラ装置５０を取り付ける状態の側面図である。図７は、天井面１１の取付孔１２に取り付けられた取付装置１０にカメラ装置５０を取り付けた状態の側面図である。図８は、取付装置１０に取り付けられたカメラ装置５０の高さ位置調整の状態を下方から見た斜視図である。図９は、カメラ装置５０を所望の高さ位置に取り付けた状態の側面図である。図１０は、カメラ装置５０を最上の高さ位置に取り付けた状態の側面図である。
【００３４】
まず、取付装置１０を天井面１１の取付孔１２に取り付ける際には、押え部材２４をガイド部材２５を中心として回動させて、取付装置１０の内側に収納しておく。この状態で、上枠２２を取付孔１２に挿入し、上枠２２の取付アーム２２１の先端部２２２に設けられているアンカー用孔２２３に天井裏のアンカーボルト１３を挿通する。アンカーボルト１３をナット１４で固定する。ナット１４はダブルナットで用い、緩みを防止する（図１参照）。
【００３５】
次いで、押え部材２４をガイド部材２５を中心として回動させ、外側に突出させる。押え部材２４を下方に移動させて、押え部材２４と下枠２１との間に天井材を挟持して取付装置１０を固定する。
下枠２１に設けられている固定ねじ２１２を緩めて、規制部材２６を外側へ移動させて許容位置に位置決めする（図４参照）。この状態で、ドライバーでねじ部材４１のねじ頭４１１を回転させて、取付部材３０を最下位置に移動させる（図６参照）。このとき、帯部材３２は、下方に延ばして垂らしている。
【００３６】
次いで、取付部材３０にカメラ装置５０を取り付ける（図７参照）。
そして、ドライバーでねじ部材４１のねじ頭４１１を回転させて、カメラ装置５０が取り付けられた取付部材３０を所望の高さ位置まで上昇させる。このとき、帯部材３２の目印３２１を作業者が見ながら高さ位置を調整することにより容易にカメラ装置５０を適切な位置に固定させることができる（図８参照）。
カメラ装置５０の天井面１１に対する突出量の調整が完了したら、規制部材２６を内側へスライドさせて、ねじ部材４１のねじ頭４１１を嵌合凹部２６２に嵌合させて、ねじ部材４１が回転しないように固定する。こうすることで、長期間設置していても取付部材３０の位置が下にずれないようにすることができる。その後、固定ねじ２１２を締付けて規制部材２６を固定し、規制部材２６がねじ頭４１１から脱落しないようにする（図５参照）。
【００３７】
最後に、帯部材３２を上方へ巻き上げて取付部材３０の上側に収容し、下枠２１の下方から化粧カバー１５を取り付ける（図９参照）。
なお、図１および図９には、カメラ装置５０が所望の高さ位置に固定された状態が示されている。また、図１０には、カメラ装置５０が最上高さ位置に固定された状態が示されている。
【００３８】
次に、カメラ装置用の取付装置１０の作用効果について説明する。
取付装置１０は、天井面１１に設けられた取付孔１２から挿入されて取り付けられて、カメラ装置５０を支持する。取付装置１０は、取付孔１２に対して平行、かつ、離間配置される上枠２２および下枠２１とを有し、上枠２２および下枠２１は、連結部材２３により連結される。
カメラ装置５０は、上枠２２と下枠２１との間に配置される取付部材３０に取り付けられる。取付部材３０は、上枠２２と下枠２１との間において、昇降手段４０により昇降させるとともに、任意位置で固定される。
これにより、カメラ装置５０は、天井面１１から所望の位置まで引き下げて固定し、使用することができる。
【００３９】
また、取付装置１０では、カメラ装置５０が取り付けられた取付部材３０を昇降させる昇降手段４０が、上枠２２と下枠２１との間に立設されるねじ部材４１と、ねじ部材４１に螺合する昇降ナット部３１を有する。昇降ナット部３１は、取付部材３０に設けられている。
このため、ねじ部材４１を回転させることにより、取付部材３０に設けられてねじ部材４１に螺合する昇降ナット部３１が昇降するので、カメラ装置５０を昇降させることができる。
【００４０】
また、取付装置１０では、昇降手段４０は、ねじ部材４１と昇降ナット部３１の組み合わせを複数有するので、カメラ装置５０が取り付けられた取付部材３０を、安定して昇降させることができる。
【００４１】
また、取付装置１０は、上枠２２および下枠２１のうちの一方に沿って各ねじ部材４１に設けられた遊星歯車４２と、各遊星歯車４２に噛み合う内歯車４３とを有する。
従って、内歯車４３を回転させることにより、全ての遊星歯車４２を回転させることができ、全てのねじ部材４１を回転させることができる。また、内歯車４３および遊星歯車４２の働きにより、各ねじ部材４１が同期して回転するので、取付部材３０は水平を保持した状態で昇降することができる。
これにより、カメラ装置５０が取り付けられた取付部材３０を、安定して所望の位置まで昇降させることができる。その結果、カメラ装置５０の撮像範囲が調整可能となり、カメラ設置場所の適応範囲を拡大することができる。
【００４２】
また、取付装置は、取付部材３０を上枠２２および下枠２１間の任意位置で固定する固定手段を有し、固定手段として、ねじ部材４１に設けられた固定ナット部４１１と、固定ナット部４１１の回転を規制可能な規制部材２６とを有する。規制部材２６は、固定ナット部４１１に係合して固定ナット部４１１の回転を規制する規制位置と、固定ナット部４１１から離反して固定ナット部４１１の回転を許容する許容位置とを選択可能である。
これにより、ねじ部材４１の緩みを防止し、取付部材３０が下に位置ずれすることを防止することができる。
【００４３】
また、規制部材２６は、許容位置にあるときに、少なくとも一部が下枠の平面輪郭から外側に突出する。
従って、規制部材が、許容位置にあるときには、下枠２１に取り付けられて天井面１１から突出する化粧カバー１５を、下枠２１に取り付けることができない。これにより、化粧カバー１５が下枠２１に取り付けられない場合には、ねじ頭４１１が規制部材２６によって規制位置に固定されていない為、作業者にねじ部材４１の回転を防止する為の作業を忘れないようにすることができる。
【００４４】
さらに、取付装置１０では、取付部材３０に、取付部材３０が最上位置にある場合に下枠２１まで延びる帯部材３２が設けられている。帯部材３２は、目印３２１を有するので、取付部材３０の天井面１１からの高さ位置を容易に把握することができる。
また、帯部材３２は軟質の部材で形成されているので、高さ位置を確認した後は、折り畳んで取付装置１０の内部に収容することができる。
【００４５】
なお、本実施形態では、４本のねじ部材４１を遊星歯車４２を介して内歯車４３で同期回転させているが、ねじ部材４１をタイミングベルトなど他の手段により同期回転させてもよい。
また、本実施形態では、遊星歯車４２は上枠２２の下面に沿って回転させているが、上枠２２の上面、もしくは、下枠２１の上面に沿って回転させるようにしてもよい。また、ねじ部材４１のねじ頭４１１は六角形でなく三角形や四角形でもよい。帯部材３２の目印３２１の代わりに天井面１１から下方への突出量を示す目盛りを付与してもよい。
【００４６】
次に、上記した実施形態に係る取付装置の変形例について、図面を参照して説明する。
【００４７】
図１１は、変形例のカメラ装置用の取付装置６０を上方から見た斜視図である。図１２は、図１１に示したカメラ装置用の取付装置６０を下方から見た斜視図である。図１３は、図１２に示したガイドスリット近傍部分の要部拡大図である。なお、図１〜図１０に示した部材と同一の部材には同一の符号を付し重複する説明は省略するものとする。
【００４８】
この変形例による取付装置６０は、下枠２１と上枠２２との間に、取付部材６１を昇降させるとともに任意の高さ位置で固定可能な移動手段である昇降手段６２が設けられている。
【００４９】
昇降手段６２は、下枠２１と上枠２２との間に、回転可能かつ鉛直に設けられた１本のねじ部材４１を有する。ねじ部材４１の下端部には、下枠２１を貫通して下枠２１の下面に露出するねじ頭４１１が設けられている。ねじ部材４１には、取付部材６１のナット部である昇降ナット部３１が螺合している。昇降ナット部３１は、昇降手段６２を構成する部材である。
【００５０】
従って、昇降手段６２は、ねじ部材４１を回転させることにより、昇降ナット部３１がねじ部材４１に沿って昇降するので、取付部材６１を昇降させることができる。なお、ねじ部材４１のねじ頭４１１の近傍には、ねじ頭４１１の回転を規制することのできる規制部材２６が設けられている（図１２参照）。
【００５１】
昇降手段６２は、ガイドホール６３と、ガイドスリット６４とを有する。取付部材６１の直径方向の一端側には、半径方向外側に突出する突出片６５が形成される。突出片６５の突出先端には、直角に折り曲げられた起立片６６が形成される。起立片６６の上端には、取付部材６１と平行となるように直角に折り曲げられたガイド片６７が形成されている。突出片６５は、貫通孔を有し、この貫通孔と同軸で昇降ナット部３１が固定されている。
【００５２】
ガイド片６７には、突出片６５の貫通孔と同軸の上記したガイドホール６３が形成される。昇降ナット部３１に螺合したねじ部材４１は、このガイドホール６３を貫通する。ガイドホール６３は、昇降ナット部３１に螺合したねじ部材４１が貫通することにより、取付部材６１を平行移動自在に支持する。
【００５３】
また、取付部材６１の直径方向の他端側には、半径方向外側に突出する回転規制片６８が形成される。回転規制片６８には、取付部材６１の半径方向外側から切り込まれた上記のガイドスリット６４が形成されている。
【００５４】
取付装置６０は、４つの連結部材の内、３つが上記と同様の連結部材２３となり、回転規制片６８に対向する位置の１つが上記の連結部材２３と異なる連結部材６９となる。連結部材６９は、一方の側部に上記同様の補強リブ２３１が形成され、他方の側部には補強リブ２３１よりも幅の広いガイドリブ７０が形成される。この連結部材６９は、補強リブ２３１とガイドリブ７０の双方が、取付部材６１に向かって内側に折り曲げられている。
【００５５】
図１３に示すように、回転規制片６８に切り込まれたガイドスリット６４は、連結部材６９のガイドリブ７０を挟む。即ち、ガイドスリット６４は、連結部材６９のガイドリブ７０を挟むことにより、ねじ部材４１を回転中心とした取付部材６１の回転を規制する。
【００５６】
なお、連結部材６９を挟む対向する一対の連結部材２３は、取付部材６１の直径方向両端の外周に当接する。つまり、取付部材６１は、昇降する際、一対の連結部材２３に両側外周が摺接する。これにより、取付装置６０は、地震等の振動が生じても取付部材６１の横振れが抑制されるようになっている。
【００５７】
この変形例において、昇降手段６２は、ねじ部材４１と、昇降ナット部３１と、ガイドホール６３と、ガイドスリット６４と、ガイドリブ７０と、から構成される。
【００５８】
取付装置６０の取付動作は、上記した取付装置１０と同様である。但し、取付装置６０では、カメラ装置５０が取り付けられた取付部材６１を所望の高さ位置まで上昇させるねじ部材４１が１本となる。このねじ部材４１のねじ頭４１１をドライバーで回転させることにより、カメラ装置５０を所望の高さ位置まで上昇させることができる。
【００５９】
次に、カメラ装置用の取付装置６０の作用効果について説明する。
取付装置６０は、上記した取付装置１０の主な作用効果と同様の作用効果を奏する。すなわち、取付部材６１は、上枠２２と下枠２１との間において、昇降手段６２により昇降させるとともに、任意位置で固定される。
これにより、カメラ装置５０は、天井面１１から所望の位置まで引き下げて固定し、使用することができる。
【００６０】
また、ねじ部材４１を回転させることにより、取付部材６１に設けられてねじ部材４１に螺合する昇降ナット部３１が昇降するので、カメラ装置５０を昇降させることができる。
【００６１】
これにより、カメラ装置５０が取り付けられた取付部材６１を、安定して所望の位置まで昇降させることができる。その結果、カメラ装置５０の撮像範囲が調整可能となり、カメラ設置場所の適応範囲を拡大することができる。
【００６２】
これらの主な作用効果に加え、取付装置６０は、構造を簡素にすることのできる作用効果を有する。すなわち、取付部材６１は、昇降ナット部３１を貫通したねじ部材４１が、ガイドホール６３を貫通する。取付部材６１は、ねじ部材４１の延在方向に離間した２箇所でねじ部材４１に支持されるので、ねじ部材４１に直交する中心軸回りの回転が規制される。そのため、取付部材６１は、１本のねじ部材４１に沿った平行移動が可能となる。また、取付部材６１は、回転規制片６８に形成されたガイドスリット６４が、連結部材６９のガイドリブ７０を挟む。ガイドリブ７０を挟んだガイドスリット６４は、ガイドリブ７０に沿って摺動自在となる。これにより、取付部材６１は、回転が規制された平行移動が可能となる。
【００６３】
このように、昇降手段６２は、１本のねじ部材４１と、ガイドリブ７０と、を設けることにより、平行移動が可能となる。このため、この変形例のカメラ装置用の取付装置６０は、上記した実施形態の取付装置１０の構成に比較して、３本のねじ部材４１と４つの遊星歯車４２と内歯車４３とを無くすことができ、取付装置の構造を簡素にすることができる。その結果、部品コスト、組立工数を低減して、製造コストを安価にできる。
【００６４】
なお、本発明に係る取付装置の移動手段は、上記の昇降手段４０、昇降手段６２に限定されるものではない。取付部材を第１枠および第２枠間において移動させるその他の移動手段は、例えば螺合取付構造等であってもよい。即ち、移動手段は、カメラ装置５０を取付ける取付部材の周囲に雄ねじを切り、取付装置本体側（例えば連結部材の内面）に雌ねじを設けて、カメラ装置５０を回しながら、取付けるもの（電球とソケットの螺合取付構造）としてもよい。
【００６５】
本発明のカメラ装置用の取付装置は、前述した実施形態に限定されるものでなく、適宜な変形、改良等が可能である。
【産業上の利用可能性】
【００６６】
本発明は、監視用ビデオカメラ等のカメラ装置を天井に埋め込んで設置する際に使用するカメラ装置用の取付装置に適用できる。
【符号の説明】
【００６７】
１０、６０  取付装置（カメラ装置用の取付装置）
１１  天井面（取付面）
１２  取付孔
１５  化粧カバー（カバー）
２１  下枠（第２枠）
２２  上枠（第１枠）
２３  連結部材
２６  規制部材（固定手段）
３０、６１  取付部材
３１  昇降ナット部（ナット部）
３２  帯部材
３２１  目盛
４０、６２  昇降手段（移動手段）
４１  ねじ部材
４１１  ねじ頭（固定ナット部）
４２  遊星歯車
４３  内歯車
５０  カメラ装置
６３  ガイドホール
６４  ガイドスリット
７０  ガイドリブ
【図１】
2015065642.tif 000003
【図２】
2015065642.tif 000004
【図３】
2015065642.tif 000005
【図４】
2015065642.tif 000006
【図５】
2015065642.tif 000007
【図６】
2015065642.tif 000008
【図７】
2015065642.tif 000009
【図８】
2015065642.tif 000010
【図９】
2015065642.tif 000011
【図１０】
2015065642.tif 000012
【図１１】
2015065642.tif 000013
【図１２】
2015065642.tif 000014
【図１３】
2015065642.tif 000015
【図１４】
2015065642.tif 000016